(57)【要約】      （修正有）【課題】個人にとってゆとりある旅行ができ、また、企業にとっても従業員に対して無理なく長期の休暇を与えることができる環境を作り出し、それにより個人及び企業両方の発展に寄与できるような不動産商品販売システム連動旅行販売システムを提供する。【解決手段】多くの企業が加盟するＲＤＢＭＳ管理センターを構成し、各加盟企業の紹介によって不動産商品、旅行商品を購入した場合には、加盟企業に対して不動産商品費用旅行費用に応じた公債社会コントロール支援資金を支払う公債社会コントロール支援資金制を導入する。不動産商品と旅行商品のコラボ商品の種々の変動条件と補正ルール（不動産商品、旅行商品の回転率など）から出てくる余剰金による加盟企業への送金循環プログラム旅行商品販売システムと連動する不動産商品から産生される余剰金プール金自然人への送金システム、コントロールセンターを構成する。【選択図】図１
2016218988.tif 000002
【特許請求の範囲】
【請求項１】
明細書全文と図１、図２に連動するシステム、ネットワーク  プログラム、販売商品の管理プログラム（パッケージ商品等他）
【請求項２】
請求項１に連動する、コントロール法人ホールディングスの無人化。無人化の後、６ヶ月後コントロール法人ホールディングスの国有化。前記コントロール法人ホールディングスは、国有化した時点で特許権利収入の４％を保有する権利をもち、公安関連グループシステムと現在の政府によるプロジェクトチームにより、第３セクター等他プログラム他機関と収入を共有化することもできるシステム。
特許庁も補正を手伝って下さい。
他前記関連特許権利収入の８６％をその国の財務省が保有する権利ももつ。前記、
各国政府の保有特許権収入合計を９０％として、政府がコントロールホールディングスをオートメーション取得する。
国有化のオートメーションコントロールホールディングスの完成システムセンタープログラム。
前記、国有化のオートメーションコントロールホールディングスの完成システムセンタープログラムに関する議事録を前記無人化法人より、政府内電子化ファイルへ記録システム完了後、政府は、自動的に本システムプログラムをすみやかに実施することができるプログラム。
2016218988.tif 000003
国連へ連結する無人化（各国内）コンサルティングコーポに関しては、後の特許出願に記録（協議書）するシステム。
特許請求の範囲にかかるすべての工業所有権経費の無料化
【発明の詳細な説明】
【技術分野】
【０００１】本発明は、社会福祉システムと金融（すべて）システムと観光、医療、長期、短期の旅行行程の商品の種々の変動条件と補正ルール（社会福祉システムと金融（すべて）システムと観光、医療、旅行に連動する、不動産商品と旅行商品の回転率など）から出てくる今まで容易に発見（発明）されなかった余剰金による加盟企業への送金循環プログラム旅行商品の販売システムに関し、特に、長期旅行需要を喚起する公債社会コントロールマネーサプライ拡大支援資金制を導入した旅行商品の販売システムと連動する不動産商品から産生される余剰金プール金自然人への送金システム  プログラム  ネットワーク  コントロールセンターに関する。
【背景技術】
【０００２】前記技術分野コラボ商品以前の旅行は、仕事や経済的理由から、短期間の旅行が多い。【０００３】一方、企業側においても、経済的な事情もあって（特に不況時においては）長期の休暇を従業員に与える余裕がないのが実情である。
【発明が解決しようとする課題】
【０００４】本発明は上記の点にかんがみてなされたもので個人にとってゆとりある旅行ができ、また企業にとっても従業員に対して無理なく長期の休暇を与えることができる環境を作り出し、もって個人及び企業両方の発展に寄与できるような不動産商品販売システム連動旅行販売システムを構築することを目的とする。
【課題を解決するための手段】
【０００５】前記課題を解決するため、本発明においては、多くの企業が加盟するＲＤＢＭＳ管理センターを構成し、各加盟企業の紹介によって不動産商品  旅行商品を購入した場合には、当該加盟企業に対して不動産商品費用旅行費用に応じた公債社会コントロール支援資金を支払う公債社会コントロール支援資金制を導入した。
不動産商品と旅行商品のコラボ商品の種々の変動条件と補正ルール（不動産商品  旅行商品の回転率など、）から出てくる今まで容易に発見（発明）されなかった余剰金による加盟企業への送金循環プログラム旅行商品販売システムと連動する不動産商品から産生される余剰金プール金自然人への送金システム  プログラム  ネットワーク  コントロールセンターを構成した。
【０００６】各加盟企業は、自社の社員が不動産商品  旅行商品を購入したとき、それに応じた公債社会コントロール支援資金を得るので、社員が旅行のために長期の休暇を取ることに対して積極的に援助する体制を整えるようになり、その結果、不動産商品  旅行商品の販売が促進される。そして、それが更に各企業の公債社会コントロール支援資金収入を増大させ、各企業はより従業員の旅行に対して協力的になり、不動産商品  旅行商品の販売がさらに促進されるという好循環が形成される。
【０００７】前記公債社会コントロール支援資金は、例えば、助成金の支給や融資等の形で行うこともできる。
【発明を実施するための形態】
【０００８】図１は本発明の実施の形態の一例を示すブロック図であり、加盟企業１ａ〜１０ｊは、それぞれ端末装置を備え、通信回線５を介してＲＤＢＭＳ管理センター７、に接続されている。
【０００９】図２は、本発明の実施の形態の一例を示すブロック図であり、ＲＤＢＭＳ管理センターを監視コントロールするための現在の政府内コントロールセンター６、であり、例えば、公安に設置するのが最も有用である。
【００１０】前記コントロールセンター（例えば、公安等）は、ＲＤＢＭＳ管理センター内情報と各加盟企業への支援資金の流れをコントロールセンター内のＰＣより直接入手する事ができる。
【００１１】公債社会コントロール支援資金決定テーブルは、特願２０１２−２３５１４４の公的社会経済的調整改革資金決定テーブルのデータを基準として演算処理する。
【００１２】本発明にかかるＲＤＢＭＳ管理センター内のＬＡＮネットワークで接続されたシステム構成図は、特願２０１２−２３５１４４のシステム構成図に準ずる。
【００１３】特願２０１２−２３５１４４のＬＡＮネットワーク決定テーブルで求められた公債社会コントロール支援支金は、加盟企業ごとに公債社会コントロール支援資金の発生履歴、及び、累計が記録され、累計された金額の公債社会コントロール支援支金が定期的に各企業へ送金される。
前記記録、送金方法は、特願２０１２−２３５１４４に準ずる。
【００１４】以上のような公債社会コントロール支援（資）金制を導入することにより、加盟企業にとっては、自社の社員に対して旅行のための休暇を与え易くなり、これにより、旅行需要が増大する。
【００１５】旅行者が支払った費用が管理センター７の収入となり、諸経費及び公債社会コントロール支援資金を差し引いた額が管理センター７の利益となり、この利益の中から、加盟企業に対する支援資金の支払が行われる。
【００１６】前記支援資金は、経済力の弱い企業に集中的に支援することも可能である。
【発明の効果】
【００１７】本発明によれば、公債社会コントロール支援資金制を媒介にして、不動産商品旅行商品の販売促進とともに社会福祉発展システムを提供することができる。
【図面の簡単な説明】
【図１】加盟企業とＲＤＢＭＳ管理センターのネットワークブロック図。
【図２】ＲＤＢＭＳ管理センターと監視コントロールセンターのネットワークブロック図。
【発明を実施するための形態】
明細書全文に連動する  図１、図２、
【産業上の利用可能性】安全にコントロール送金するために（公安）コントロール監視センターの役目が最重要となり、社会全体の経済を安定させるいしずえとなる。
【符号の説明】１．１ａ……１ｊ  加盟企業
２．３ａ……３ｊ  端末装置
５  通信回線（インターネット等）
７．管理センター
６．コントロールセンター
【図１】
2016218988.tif 000004
【図２】
2016218988.tif 000005